(57)【特許請求の範囲】
【請求項１】
空気取り入れ口および空気排出口が形成される脱臭装置本体と、
前記脱臭装置本体内壁面に設けられる酸化チタンがコーティングされた多孔質層が形成された発泡合成樹脂と、
前記空気取り入れ口側に設けられ、前記脱臭装置本体内壁面に吹き付ける吸引ファンと、
前記脱臭装置本体内壁面に紫外線を照射する光源と、
前記脱臭装置内に配置される脱臭剤を備える
ことを特徴とする脱臭装置。
【発明の詳細な説明】
【０００１】
【発明の属する技術分野】
本発明は消臭方法および消臭装置に関する。詳しくは、酸化チタンによる光触媒活性および脱臭剤による脱臭効果により殺菌・脱臭を行なう脱臭方法および脱臭装置に関するものである。
【０００２】
【従来の技術】
従来より一般家屋内での脱臭では、芳香剤や脱臭剤の自然気化によって屋内の脱臭を行なっているが、病室のように薬品臭およびし尿臭の強い環境や大人数の仕事場での絶えず発生する煙草臭での環境では上記のような芳香剤や脱臭剤の自然気化による脱臭では効果が殆どないのが現状である。
【０００３】
そこでこれらの建物は密閉式構造が多いために強制換気による空気の入れ替えや、病院ではオゾン発生装置によって殺菌や脱臭を行なう場合、又は室内の空気を電動ファンによって吸引し、フィルターや殺菌灯によって殺菌や脱臭を行ないながら送風する強制循環式としたものがある。
【０００４】
更に近年では、光触媒活性を示す光触媒体として酸化チタンが殺菌および脱臭効果を持つことから、部屋内の壁面に酸化チタンをコーティングし、蛍光灯から発せられる紫外線による光触媒活性により部屋内の空気の殺菌および脱臭を行なう試みがなされている。
【０００５】
【発明が解決しようとする課題】
しかし芳香剤や脱臭剤の自然気化による消臭では、一個の芳香剤や脱臭剤での処理能力に限界があり、部屋の大きさに応じて、あるいは発生する臭気量に応じて複数個の芳香剤や脱臭剤を設けなければならず、夜間のように部屋を閉め切った状態では、これらの芳香剤や脱臭剤の香料の臭いが強く充満する問題がある。
【０００６】
又病院のようにオゾン発生装置による殺菌および脱臭を行なう場合、オゾンによる殺菌には優れた効果を得ることができるものであるが、オゾン特有の臭いがあり、治療室や手術室以外の一般病棟ではあまり使われていないのが現状である。
【０００７】
更にフィルターによる強制循環機構では、空気中に浮遊する微小物質や煙草のヤニを除去することができるものであるが、病棟などの薬品やし尿臭を完全に消臭するまでには至っていない。
【０００８】
一方部屋内の壁面に酸化チタンをコーティングし、蛍光灯から発せられる紫外線による光触媒活性により部屋内の空気の殺菌および脱臭を行なう形式では、照明がされているときや、太陽光が入光している時間では効果を得ることができるが、夜間などのように消灯した時間帯では部屋内の空気の殺菌および脱臭効果を得ることができない問題がある。
又部屋内の空気が滞留した状況では、効率の良い空気の殺菌および脱臭効果を得ることができない問題がある。
【０００９】
本発明は、以上の点に鑑みて創案されたものであって、部屋内の空気を強制的に酸化チタンによる光触媒活性および脱臭剤により殺菌・脱臭をして循環させる脱臭方法および脱臭装置を提供することを目的とするものである。
【００１０】
【課題を解決するための手段】
上記の目的を達成するために、本発明に係る脱臭方法は、吸引ファンによって空気を脱臭装置内に取り入れる工程と、該取り入れた空気を、脱臭装置内壁面に設けられる多孔質層を形成する発泡合成樹脂にコーティングした酸化チタンと紫外線を発する光源による光触媒活性により殺菌、消臭を行う工程と、該殺菌、脱臭を行った空気を上記脱臭装置内より排出する工程を備える。
【００１１】
ここで、吸引ファンによって空気を脱臭装置内に取り入れる工程とは、電動モーターの駆動力によって吸引ファンを駆動回転させ、脱臭装置内に部屋の空気を吸引させる。そして脱臭装置内壁面には、酸化チタンがコーティングされた多孔質層を形成する発泡合成樹脂が取付けられ、この多孔質層にコーティングされた酸化チタンと紫外線を発する光源による光触媒活性により殺菌、脱臭を行いながら脱臭装置外へ放出する構成とするものである。
【００１２】
また、本発明に係る脱臭方法は、前記脱臭装置内に、脱臭剤を設ける工程を備える。
【００１３】
ここで、吸引ファンによって脱臭装置内に取り入れられた空気は、脱臭装置内壁面に取付けられる酸化チタンがコーティングされた多孔質層を形成する発泡合成樹脂と紫外線を発する光源による光触媒活性による殺菌・脱臭を脱臭剤により補完することにより、即効性のある脱臭が可能となる。
【００１４】
また、上記の目的を達成するために、本発明に係る脱臭装置は、空気取り入れ口および空気排出口が形成される脱臭装置本体内に設けられる空気が取り入れられる吸引ファンと、上記脱臭装置本体内壁面に設けられる酸化チタンがコーティングされた多孔質層が形成される発泡合成樹脂と、紫外線を照射する光源を備える構成とする。
【００１５】
ここで、脱臭装置の空気取り入れ口には電動モーターによって駆動回転する吸引ファンを設け、この吸引ファンによって部屋の空気を脱臭装置内に取り入れて、空気排出口より排出する構成とするものである。
【００１６】
そこで上記吸引ファンによって部屋の空気を脱臭装置内に取り入れて、空気排出口より排出する間に、脱臭装置内壁面に取付けられる酸化チタンがコーティングされた多孔質層が形成される発泡合成樹脂より形成される酸化チタンフィルターと、この酸化チタンフィルターに紫外線を照射する光源による光触媒活性により殺菌、脱臭を行う構成とするものである。
【００１７】
また、本発明に係る脱臭装置は、前記脱臭装置内に、脱臭剤が設けられる構成とする。
【００１８】
ここで、脱臭装置の空気取り入れ口には電動モーターによって駆動回転する吸引ファンを設け、この吸引ファンによって部屋の空気を脱臭装置内に取り入れて、空気排出口より排出する構成とするものである。
【００１９】
そこで、上記吸引ファンによって部屋の空気を脱臭装置内に取り入れて、空気排出口より排出する間に、脱臭装置内壁面に取り付けられた酸化チタンがコーティングされた多孔質層が形成される発泡合成樹脂と、この酸化チタンフィルターに紫外線を照射する光源による光触媒活性と、脱臭装置内に設置された脱臭剤との相乗によって殺菌、脱臭を行う構成とするものである。
【００２０】
なお酸化チタンの持つ光触媒効果とは、酸化チタンに光（紫外線）を照射することにより、周囲の有機物や細菌等を分解する光触媒分解の効果を発揮する。この光触媒酸化チタンの効果として、菌類の細胞膜を分解して殺菌する抗菌・防カビ作用、臭気分子を水や空気と反応させ、分解消臭する臭気分解作用、空気中の有害ガスを分解し無害化する大気淨化作用を活用して脱臭装置内に吸引した部屋内の空気の抗菌・脱臭を行なう構成とする。
【００２１】
また脱臭剤は、対象臭気に適応したものを使用するものであり、例えば活性炭のように臭気を吸着するものや、化学的に中和するもの、臭気中和法のように打ち消すもの、あるいは芳香剤のように臭いをマスキングする方法のものがある。更にこれらの脱臭剤は吸引ファンによる気流に晒すことにより、徐々に気化蒸散する液体、ゲル状又は固体状のものを使用し、脱臭と共に部屋内の空気を和らげる芳香を発するものが望ましい。
【００２２】
紫外線を発する光源としては、照明として広く使用されている蛍光灯があるが、この蛍光灯の中で、特に近紫外線（３００〜４００ｎｍ）を主に放射する蛍光灯がある。この蛍光灯を使用することにより効率の良い光触媒分解の効果を発揮するすることが可能となる。
【００２３】
【発明の実施の形態】
以下、本発明の実施の形態を、図面を参酌しながら説明し、本発明の理解に供する。
【００２４】
図１に本発明を適用した脱臭方法の一例を示す説明図であり、電動モータによって駆動回転する吸引ファン１により部屋内の空気Ａは、エアーフィルター２を通して脱臭装置３内へ吸引され、ルーバー４を通して再び部屋内へ排出される。
【００２５】
そして脱臭装置３内壁面には、発泡合成樹脂などの多孔質層に酸化チタンがコーティングされた酸化チタンフィルター５が設けられ、更に脱臭装置３内中央に紫外線を照射する光源６が設置されるものである。
【００２６】
そこで吸引ファン１によって部屋内の空気Ａはエアーフィルター２を通過することにより、空気中に浮遊する塵などが除去される。更に脱臭装置３内に吸引される空気Ａは酸化チタンがコーティングされた酸化チタンフィルター５内およびその近傍を通ることにより、酸化チタンの持つ光触媒効果により殺菌・脱臭されて再び部屋内へと排出される。
【００２７】
図２に本発明の脱臭方法の他の例を示す説明図であり、電動モータによって駆動回転する吸引ファン１により部屋内の空気Ａは、エアーフィルター２を通して脱臭装置３内へ吸引され、ルーバー４を通して再び部屋内へ排出される。
【００２８】
そして脱臭装置３内壁面には、発泡合成樹脂により形成される多孔質層に酸化チタンがコーティングされた酸化チタンフィルター５が設けられ、更に脱臭装置３内中央に紫外線を照射する光源６およびルーバー４手前には脱臭剤７が設置されるものである。
なお上記脱臭剤７は、その部屋の対象となる臭気に応じて変更でき、かつ気化蒸散できる脱臭剤を使用することが望ましい。
【００２９】
そこで吸引ファン１によって部屋内の空気Ａはエアーフィルター２を通過することにより、空気中に浮遊する塵などが除去される。更に脱臭装置３内に吸引される空気Ａは酸化チタンがコーティングされた酸化チタンフィルター５内およびその近傍を通ることにより、酸化チタンの持つ光触媒効果により殺菌・脱臭され、更に光触媒によって殺菌・脱臭が充分に行えなかった空気Ａを脱臭剤７により脱臭すると共に、芳香を発して再び部屋内へと排出される。
【００３０】
図３に本発明を適用した脱臭装置の一例を示す説明図であり、ケース本体８は後部側が部屋の壁面に接した状態で設置できるように、その前部側の下部にエアーフィルター２が装着された空気取り入れ口９が設けられ、更にその上部には風向を自在に変更できるルーバー４が装着された排出口１０が設けられた構成とするものである。
更にケース本体８の空気取り入れ口９側には電動モーター１１によって駆動回転する吸引ファン１を配設する。
【００３１】
次にケース本体８の内壁面には、多孔質層の発泡樹脂素材に酸化チタンをコーティングした酸化チタンフィルター５を貼着する。そしてこの酸化チタンフィルター５の全面を照射できる位置に、紫外線を照射する光源６を設けた構成とするものである。
【００３２】
図４に本発明の脱臭装置の他の例を示す説明図であり、ケース本体８は後部側が部屋の壁面に接した状態で設置できるように、その前部側の下部にエアーフィルター２が装着された空気取り入れ口９が設けられ、更にその上部には風向を自在に変更できるルーバー４が装着された排出口１０が設けられた構成とするものである。
更にケース本体８の空気取り入れ口９側には電動モーター１１によって駆動回転する吸引ファン１を配設する。
【００３３】
次にケース本体８の内壁面には、多孔質層の発泡樹脂素材に酸化チタンをコーティングした酸化チタンフィルター５を貼着する。そしてこの酸化チタンフィルター５の全面を照射できる位置に、紫外線を照射する光源６を設置し、更にルーバー４手前に水平状の載置台１２を架設する。この載置台１２上には脱臭剤７が収納された脱臭容器１３を配置する構成とするものである。
【００３４】
また図５および図６は吸引ファン１を２個設置した構成の脱臭装置の一例を示すものであり、ケース本体８の前部側にエアーフィルター２がそれぞれ装着された２個の空気取り入れ口９が設置され、更にそれぞれの空気取り入れ口９側のケース本体８内には電動モーター１１によって駆動回転する吸引ファン１、１が配設される。
【００３５】
そしてケース本体８の上部には、風向を自在に変更できるルーバー４が装着された排出口１０が設けられた構成とする。更にケース本体８内壁には、酸化チタンをコーティングした酸化チタンフィルター５を貼着し、この酸化チタンフィルター５全面を照射する位置に紫外線を照射する光源６を設置した構成とする。
【００３６】
また図６に示すように脱臭剤を設ける場合には、各吸引ファン１、１の後方位置に水平状の載置台１２、１２を架設し、この載置台１２、１２上に脱臭剤７が収納された脱臭剤容器１３、１３を載置する構成とするものである。
【００３７】
以上の構成より成る本発明では図３に示すように、吸引ファン１によってケース本体８内に吸引された部屋内の空気Ａは、酸化チタンフィルター５内およびその近傍を通ることにより、酸化チタンの持つ光触媒効果により殺菌・脱臭されながら排出口１０より再び部屋内へ排出される。
【００３８】
また図４に示すように、吸引ファン１によってケース本体８内に吸引された部屋内の空気Ａは、酸化チタンフィルター５内およびその近傍を通ることにより、酸化チタンの持つ光触媒効果により殺菌・脱臭されると共に、その気流によって脱臭剤容器１３内の消臭剤７が気化蒸散され、光触媒効果によって殺菌・脱臭し得なかった空気Ａが脱臭され、かつ芳香を発することによって部屋内の環境を和らげる効果を得ることができる。
【００３９】
次に大きな脱臭処理能力が必要な場合には、図５および図６で示すように、ケース本体８の容量が大きく、かつ２個の吸引ファン１を設けた構成の脱臭装置によって処理能力を高めることが可能となる。
【００４０】
【発明の効果】
以上述べて来た如く本発明によれば、ケース本体内にて酸化チタンの光触媒作用により吸引ファンによって取り入れた部屋内の空気を確実に殺菌・脱臭することで、確実な脱臭処理を行なうことが可能となる。
【００４１】
又対象臭気に応じて取り替えが自由に行なえる脱臭剤との相乗効果によって、より一層の脱臭効果を得ることができると共に、芳香を発することにより部屋の環境を和らげる効果を得ることができる。
【図面の簡単な説明】
【図１】本発明を適用した脱臭方法の一例を示す説明図である。
【図２】本発明を適用した脱臭方法の他の例を示す説明図である。
【図３】本発明を適用した脱臭装置の一例を示す説明図である。
【図４】本発明を適用した脱臭装置の他の例を示す説明図である。
【図５】図３にける吸引ファンを２個設置した場合の説明図である。
【図６】図４における吸引ファンを２個設置した場合の説明図である。
【符号の説明】
Ａ      空気
１      吸引ファン
２      エアーフィルター
３      消臭装置
４      ルーバー
５      酸化チタンフィルター
６      光源
７      脱臭剤
８      ケース本体
９      空気取り入れ口
１０    排出口
１１    電動モーター
１２    載置台
１３    脱臭剤容器
【図１】
0004779146.tif 000002
【図２】
0004779146.tif 000003
【図３】
0004779146.tif 000004
【図４】
0004779146.tif 000005
【図５】
0004779146.tif 000006
【図６】
0004779146.tif 000007